(57)【要約】【課題】建物内の局所的に空気が汚れる可能性のある場所からも局所排気ができ換気効果を高めることができる同時給排換気装置を提供することを目的とする。【解決手段】強制的に室内空気供給ダクト２６を介して室内に外気を供給し、室内空気排出ダクト２７を介して室内の空気を屋外に排出する同時給排換気装置において、室内の空気を吸い込むために下面に本体吸込口５を設けた箱体状の換気装置本体１に、室内に強制的に外気を供給するために室内と連通する本体吹出口５を有する換気装置本体１の一側面に設けた第１の本体局所吸込口１２と、本体吹出口５を有する換気装置本体１の一側面を除く他の側面に設けた第２の本体局所吸込口１３とを備えた構成とする。【選択図】  図２
2004354022.tif 000002
【特許請求の範囲】
【請求項１】
強制的に室内空気供給ダクトを介して室内に外気を供給し、室内空気排出ダクトを介して室内の空気を屋外に排出する同時給排換気装置であって、室内の空気を吸い込むために下面に本体吸込口を設けた箱体状の本体に、室内に強制的に外気を供給するために前記室内と連通する本体吹出口を有する前記本体の一側面に設けた第１の本体局所吸込口と、前記本体吹出口を有する前記本体の一側面を除く他の側面に設けた第２の本体局所吸込口とを備えたことを特徴とする同時給排換気装置。
【請求項２】
第２の本体局所吸込口を本体天面に配設することを特徴とする請求項１記載の同時給排換気装置。
【請求項３】
第１の本体局所吸込口が設けられる本体の一側面と一体的にダクト接続アダプターを形成したことを特徴とする請求項１または２に記載の同時給排換気装置。
【請求項４】
第１の本体局所吸込口および第２の本体局所吸込口はダクトを介して建物内のトイレ、クローゼット、押し入れ、または納戸に連通させたことを特徴とする請求項１〜３のいずれかに記載の同時給排換気装置。
【請求項５】
第１の本体局所吸込口が設けられる本体の一側面に隣り合う側面に設けた第２の本体局所吸込口を塞ぐとともに、本体天面に設けた第２の本体局所吸込口にダクトを接続する構成とした請求項１〜４のいずれかに記載の同時給排換気装置。
【発明の詳細な説明】
【０００１】
【発明の属する技術分野】
本発明は、強制的に外気を室内に供給するとともに、室内の空気を屋外に排出する同時給排換気装置に関するものである。
【０００２】
【従来の技術】
従来の同時給排換気装置は、本体の下面に設けた本体吸込口から室内の空気を吸い込み屋外に排出し、本体の一側面に本体吹出口を設けダクトを介して屋外から供給した外気を室内に送るものであった（例えば、特許文献１）。
【０００３】
【特許文献１】
特開平１１−３２５５３５号公報
【０００４】
【発明が解決しようとする課題】
しかしながら、上記従来の構成では、本体の下面に設けた本体吸込口からしか室内の空気を排気することができず、建物内の局所的に空気が汚れる可能性のある場所から積極的に排気して建物内の換気効果を高めることができないという課題があった。
【０００５】
本発明は、このような従来の課題を解決するもので、建物内の局所的に空気が汚れる可能性のある場所からも局所排気ができ換気効果を高めることができる同時給排換気装置を提供することを目的とする。
【０００６】
また、自由に局所排気をするためのダクト接続方向を選択でき、ダクトの引き回しが容易である同時給排換気装置を提供することを目的とする。
【０００７】
また、建物の構造体による制約を受けることなく自由な換気配管設計を行うことができる同時給排換気装置を提供することを目的とする。
【０００８】
【課題を解決するための手段】
上記の目的を達成するために本発明は、強制的に室内空気供給ダクトを介して室内に外気を供給し、室内空気排出ダクトを介して室内の空気を屋外に排出する同時給排換気装置であって、室内の空気を吸い込むために下面に本体吸込口を設けた箱体状の本体に、室内に強制的に外気を供給するために前記室内と連通する本体吹出口を有する前記本体の一側面に設けた第１の本体局所吸込口と、前記本体吹出口を有する前記本体の一側面を除く他の側面に設けた第２の本体局所吸込口とを備えたものである。
【０００９】
また、第２の本体局所吸込口を本体天面に配設するものである。
【００１０】
また、第１の本体局所吸込口が設けられる本体の一側面と一体的にダクト接続アダプターを形成したものである。
【００１１】
また、第１の本体局所吸込口および第２の本体局所吸込口はダクトを介して建物内のトイレ、クローゼット、押し入れ、または納戸に連通させたものである。
【００１２】
また、第１の本体局所吸込口が設けられる本体の一側面に隣り合う側面に設けた第２の本体局所吸込口を塞ぐとともに、本体天面に設けた第２の本体局所吸込口にダクトを接続する構成としたものである。
【００１３】
【発明の実施の形態】
請求項１に記載の発明は、強制的に室内空気供給ダクトを介して室内に外気を供給し、室内空気排出ダクトを介して室内の空気を屋外に排出する同時給排換気装置であって、室内の空気を吸い込むために下面に本体吸込口を設けた箱体状の本体に、室内に強制的に外気を供給するために前記室内と連通する本体吹出口を有する前記本体の一側面に設けた第１の本体局所吸込口と、前記本体吹出口を有する前記本体の一側面を除く他の側面に設けた第２の本体局所吸込口とを備えたことにより、局所的に空気が汚れる可能性のある場所から、または、同時に複数の部屋から局所排気ができ、また局所排気するためのダクト接続方向を自由に選択できるのでダクトの引き回しが容易でありダクトの長さを短くできる。
【００１４】
請求項２に記載の発明は、請求項１に記載の同時給排換気装置に、第２の本体局所吸込口を本体天面に配設することにより、本体側面に隣接して障害物がある場合でもその影響を受けることなくダクトの接続、引き回しを行うことができる。
【００１５】
請求項３に記載の発明は、請求項１または２に記載の同時給排換気装置に、第１の本体局所吸込口が設けられる本体の一側面と一体的にダクト接続アダプターを形成したことにより、局所排気を行う際に別途ダクト接続用のアダプターを取り付ける必要がない。
【００１６】
請求項４に記載の発明は、第１の本体局所吸込口および第２の本体局所吸込口はダクトを介して建物内のトイレ、クローゼット、押し入れ、または納戸に連通させたことにより、扉などの隙間から本体下面の本体吸込口へ連通する換気経路とは独立した換気経路を有することで、小風量の換気風量でも他の部屋に臭いや汚染された空気が漏れることがなく、またクローゼットなどの小さな空間にも省スペースで換気口を設けることができ、確実に湿気や淀んだ空気の排出を行うことできる。
【００１７】
請求項５に記載の発明は、第１の本体局所吸込口が設けられる本体の一側面に隣り合う側面に設けた第２の本体局所吸込口を塞ぐとともに、本体天面に設けた第２の本体局所吸込口にダクトを接続する構成としたことにより、換気装置本体の側面に障害物が隣接していた場合に置いても１箇所または２箇所から局所排気を行うことができる。
【００１８】
以下、本発明の実施の形態を図面を参照して説明する。
【００１９】
（実施の形態１）
図１および図２に示すように、換気装置本体１は建物内の屋根裏空間および１階天井裏空間に設置され、給気用ファン９により新鮮外気を屋外給気口２から導入し、換気装置本体１に内蔵する熱交換素子部３を通過して室内給気口４を経て室内に供給する。このとき屋外給気口２から導入された外気には、屋外給気口２付近に浮遊している粗塵および虫などが混入している。一方、室内汚染空気は換気装置本体１の下面に形成された本体吸込口５から排気用ファン１０によって導入され、熱交換素子部３を通過し前記新鮮空気と熱交換されて屋外排気口６を経て屋外に排気される。このとき、熱交換素子部３は排気空気の熱量を給気空気に回収する機能を有している。屋外給気口２から導入される新鮮外気と本体吸込口５から導入される室内汚染空気は熱交換素子部３を経て電動機７に同一軸８にて連結された給気用ファン９と排気用ファン１０により移送される。
【００２０】
換気装置本体１には局部排気口１１より導入された一部の室内汚染空気を熱交換素子部３を通過せず排気用ファン１０により屋外排気口６を経て室外に排気する経路を有する。図３に示すように、室内と連通する室内空気供給ダクト２６と接続される本体吹出口２８を有する換気装置本体１の一側面に第１の本体局所吸込口１２を設ける。第１の本体局所吸込口１２を設けた一側面を除く他の側面には第２の本体局所吸込口１３を設け、換気装置本体１の天面には第２の本体局所吸込口１４を設ける。第１の本体局所吸込口１２と第２の本体局所吸込口１３はそれぞれダクトと接続されて室内に開口する局部排気口１１と連通する。
【００２１】
屋外給気口２より導入された空気には粗塵・虫などが混入しているので、屋外給気口２とダクトを介して連通された本体外気取入口２９に設置された虫捕集部としての粗塵・防虫フィルター１５により粗塵・虫などが捕集され、さらに微細な粉塵は粗塵・防虫フィルター１５に隣接する給気清浄フィルター１６により捕集され、清浄された後に室内に供給される。一方、室内汚染空気に混入する塵埃は本体吸込口５に設置された化粧パネル１７に付属される排気フィルター１８により捕集される。
【００２２】
図４に換気装置本体１の内部構造を示す。局部排気口１１より室内空気排出ダクト２７を介して導入された室内汚染空気は、第１の本体局所吸込口１２および第２の本体局所吸込口１３から熱交換素子部３を通過せず排気用ファン１０により本体吹出口３０に連通された室内空気排出ダクト２７を介して屋外排気口６を経て屋外に排出され、本体吸込口５より導入された室内汚染空気は熱交換素子部３を通過して排気用ファン１０により本体吹出口３０に連通された室内空気排出ダクト２７を介して屋外排気口６を経て屋外に排出される。本体吸込口５より導入された室内汚染空気は、熱交換素子部３により屋外給気口２より導入された新鮮外気と熱交換されるため、第１の局所吸込口１２および第２の局所吸込口１３より換気装置本体１に導入された室内汚染空気と本体吸込口５より導入された室内汚染空気との温度差が生じる。この温度差が生じた室内汚染空気が排気用ファン１０により交わるので、これらの室内汚染空気が交わる空間に断熱材３１を設け、第２の局所吸込口１３を熱交換素子部３より最も離れた位置に配設したことで温度差のある室内汚染空気の混在領域を少なくし結露を防ぐことができる。また第２の局所吸込口１３は換気装置本体１の側面の上方に配設されているので、換気装置本体１を野縁に直接取り付ける場合にも野縁によって吸込口を塞がれることなく室内空気排出ダクト２７の接続を行うことができる。
【００２３】
第１の本体局所吸込口１２、第２の本体局所吸込口１３または天面に設けた第２の本体局所吸込口１４は、屋外給気口２より導入された外気を室内空気供給ダクト２６を介して室内給気口４より各部屋に新鮮外気を供給し、各部屋の扉などの開口部から換気装置本体１の下面に設けられた本体吸込口５より室内空気排出ダクト２７を介して屋外排気口６より室内汚染空気を排出する換気経路とは独立して、本体吸込口５が設置された部屋から離れたトイレ、クローゼットまたは押入れなどから局部排気口１１より室内空気排出ダクト２７を介して直接排気する換気経路を形成しているので、トイレなど局所的に空気が汚れる可能性のある場所から他の部屋へ汚染空気の流出を防ぐことができる。また第１の本体局所吸込口１２、第２の本体局所吸込口１３または天面に設けた第２の本体局所吸込口１４より導入された室内汚染空気は熱交換素子部３を通過せず直接排気させることで、換気装置本体１内部の本体外気吸込口２９から本体吹出口２８へ連通する換気経路へ熱交素子部３と熱交素子部３を保持しているエレメントホルダー２４または熱交換素子部３およびエレメントホルダー２４を保持し、空気供給経路および空気排出経路を形成しているエレメント枠２５などとの微小な隙間からの臭いのもれなどを防ぐことができる。また書庫、キッチンまたはガレージなどにも局部排気口１１を設置することもできる。
【００２４】
ダクト接続アダプター１９は第１の本体局所吸込口１２が設けられる換気装置本体１の一側面と一体的に形成されており、局所排気を行う場合には施工時に別途ダクト接続口部材を取り付ける必要はなく、また、図５に示すように、第１の本体局所吸込口１２には着脱可能なキャップ２１が取り付けられているので、局所排気を行わない場合にはキャップ２１によって排気口を塞ぐことができる。さらにダクト接続アダプター１９を換気装置本体１の一側面と一体成形することにより気密経路確保が向上され、ネジ止め不要な構造となっているので工数を大幅に削減できる。
【００２５】
第１の局部換気口１２を有する一側面を除く他の側面に設けた第２の本体局所吸込口１３と本体天面に設けた第２の本体局所吸込口１４にダクト接続口部材２２を設置することにより、換気装置本体１台で４箇所まで局所排気が可能である。これらの本体局所吸込口は本体の４方向に設けられているので第１の本体局所吸込口１２と第２の本体局所吸込口１３と本体天面に設けた第２の本体局所吸込口１４を選択することにより、換気装置本体１の側面近傍に障害物などがある場合に容易にダクトの接続が可能となる。例えば、ツーバイーフォー住宅の１階天井裏に本体を設置する際には本体設置空間の高さ方向に制約があるため、図６に示すように根太２３の間に換気装置本体１を設置した場合、根太２３と換気装置本体１の隙間はおよそ３５ｍｍしかなく、第２の本体局所吸込口１３を使用して局所排気を行うにはダクト接続口部材２２を換気装置本体１に設置しなければならないが、ダクト接続口部材２２の風路方向の長さは約６０ｍｍであるので換気装置本体１に隣接する根太２３に開口部を設けなければならない。また、根太２３の幅は３８ｍｍなので根太２３に換気装置本体１を近接して設置したとしてもダクト接続部材２２に室内空気排出ダクト２７を接続するのは困難であり、作業性を高めるためには根太２３に大きな開口部を設けなければならなくなる。一方、第１の本体局所吸込口１２または本体天面に設けた第２の本体局所吸込口１４を使用する場合は、室内空気排出ダクト２７をダクト接続アダプター１９および第２の本体局所吸込口１４に設置されたダクト接続口部材２２に容易に接続でき、室内空気排出ダクト２７を接続するための開口部を根太２３に設けることなく局所排気ができる。またこの時、使用しない第２の本体局所吸込口１３は遮蔽板２０により塞ぐことになる。
【００２６】
また、本体局所吸込口が４方向に配設されているので、塩化ビニルパイプのような硬質でダクト配管方向に制限がある直管型のダクトを使用する場合にも局部排気口１１に接続された室内空気排出ダクト２７の排気経路においてダクト方向を変えるための湾曲した接続部材を設けることなく局所排気ができる。
【００２７】
【発明の効果】以上のように本発明によれば、室内の空気を吸い込むために下面に本体吸込口を設けた箱体状の本体に、室内に強制的に外気を供給するために前記室内と連通する本体吹出口を有する前記本体の一側面に設けた第１の本体局所吸込口と、前記本体吹出口を有する前記本体の一側面を除く他の側面に設けた第２の本体局所吸込口とを備えたことにより、同時に複数の部屋から局所排気ができ、また自由に局所排気をするためのダクト接続方向を選択できるので本体側面に隣接して障害物がある場合でもダクト配管施工が可能となる。
【００２８】
また、第１の本体局所吸込口が設けられる本体の一側面と一体的にダクト接続アダプターを形成したことにより、施工時に別途ダクト接続用のアダプター部を取り付ける必要はなく施工時の工数を削減できる。
【図面の簡単な説明】
【図１】本発明の実施の形態１における同時給排換気装置を建物に設置した状態を示す平面図
【図２】同同時給排換気装置を示す断面図
【図３】同同時給排換気装置を示す斜視図
【図４】同同時給排換気装置の内部における排気風路を示す斜視図
【図５】同同時給排換気装置の第１の本体局所吸込口を使用しない状態を示す斜視図
【図６】同同時給排換気装置を建物に設置した状態を示す斜視図
【符号の説明】
１    換気装置本体
５    本体吸込口
１２  第１の本体局所吸込口
１３  第２の本体局所吸込口
１４  天面に設けた第２の本体局所吸込口
１９  ダクト接続アダプター
２６  室内空気供給ダクト
２７  室内空気排出ダクト
２８  本体吹出口
【図１】
2004354022.tif 000003
【図２】
2004354022.tif 000004
【図３】
2004354022.tif 000005
【図４】
2004354022.tif 000006
【図５】
2004354022.tif 000007
【図６】
2004354022.tif 000008